【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
データセンタ冷却システムであって、
複数の熱生成電子デバイスを支持する１列以上のラックから気流を受けるように位置決め可能な暖気プレナムを含む第１のモジュールを含み、前記暖気プレナムは、１つ以上のラックの開放側に隣接する暖気入口と、前記１つ以上のラックの上方においてデータセンタボリュームに隣接する暖気出口とを含み、前記第１のモジュールはさらに、前記暖気プレナムと前記１つ以上のラックの上部分との間に取付け可能な可撓性のあるインターフェイスを含み、前記可撓性のあるインターフェイスは、前記１つ以上のラックと前記１つ以上のラックの上方における前記データセンタボリュームとの間に流体シールを含み、前記データセンタ冷却システムはさらに、
前記１つ以上のラックの上方において前記データセンタボリュームに位置決め可能な第２のモジュールを含み、前記第２のモジュールは、少なくとも１つのファンおよび少なくとも１つの冷却モジュールを含み、前記ファンは、暖気流を、前記１つ以上のラックから、前記暖気プレナムを通じて、前記データセンタボリューム内を循環させ、前記暖気流を冷却するための前記冷却モジュール内を通らせて、前記１つ以上のラックに隣接するデータセンタのうち人が占有可能なワークスペース内を循環させるように位置決めされ、前記データセンタ冷却システムはさらに、
前記１つ以上のラックの上方において前記データセンタボリュームに搭載可能な気流パーティションを含み、前記気流パーティションは、前記暖気プレナムと前記人が占有可能なワークスペースとの間に流れる前記暖気流を遮断するように調整可能である、データセンタ冷却システム。
【請求項２】
前記第１のモジュールまたは前記第２のモジュールのうち少なくとも１つは前記データセンタの構造柱に取付け可能である、請求項１に記載のデータセンタ冷却システム。
【請求項３】
前記第１のモジュールまたは前記第２のモジュールは前記構造柱に沿って移動可能である、請求項２に記載のデータセンタ冷却システム。
【請求項４】
前記第２のモジュールは、水平な底パネルに連結された複数の垂直なサイドパネルを含む、請求項１〜３のいずれかに記載のデータセンタ冷却システム。
【請求項５】
前記冷却モジュールは、前記複数の垂直なサイドパネルのうち少なくとも１つに隣接して垂直に搭載される冷却コイルを含む、請求項４に記載のデータセンタ冷却システム。
【請求項６】
前記複数の垂直なサイドパネルのうち少なくとも１つは別の冷却モジュールと置換えられるようなサイズである、請求項４に記載のデータセンタ冷却システム。
【請求項７】
前記ファンは、前記暖気流を前記暖気プレナムから前記冷却モジュールを通って直交的に循環させるように前記水平な底パネルに搭載されている、請求項４に記載のデータセンタ冷却システム。
【請求項８】
下方モジュールまたは上方モジュールのうち少なくとも１つに水平に取付け可能な天井パネルをさらに含み、前記天井パネルは、前記人が占有可能なワークスペースと前記１つ以上のラックの上方における前記データセンタボリュームとの間にインターフェイスを規定する、請求項１〜７のいずれかに記載のデータセンタ冷却システム。
【請求項９】
データセンタを冷却する方法であって、
データセンタのうち人が占有可能なワークスペースに第１のモジュールを設置するステップと、
前記データセンタのデータセンタボリュームに第２のモジュールを設置するステップと、
前記データセンタの構造柱に前記第１のモジュールまたは前記第２のモジュールのうち少なくとも１つを取付けるステップと、
前記第１のモジュールの暖気プレナムと前記データセンタボリュームに位置決めされた１つ以上のラックの上部分との間に可撓性のあるインターフェイスを設置するステップと、
前記１つ以上のラック間にある暖気アイルを、前記データセンタボリュームのうち前記１つ以上のラックの上方における部分から、前記可撓性のあるインターフェイスで流体封止するステップと、
複数の熱生成電子デバイスを支持する１列以上の１つ以上のラックから前記第１のモジュールの前記暖気プレナムに気流を循環させるステップと、
前記気流が前記１つ以上のラック内を循環するのに伴って前記気流を暖めるステップと、
暖気流を、前記１つ以上のラックの開放側に隣接する前記暖気プレナムの暖気入口を通じて、前記１つ以上のラックの上方における前記データセンタボリュームに隣接する暖気出口へと循環させるステップと、
前記気流を、前記１つ以上のラックの上方における前記データセンタボリュームに位置決めされた第２のモジュールに位置決めされたファンを用いて、前記暖気流を冷却するための少なくとも１つの冷却モジュール内を通らせて、前記１つ以上のラックに隣接する前記データセンタのうち前記人が占有可能なワークスペース内へと循環させるステップと、
前記１つ以上のラックの上方における前記データセンタボリュームに搭載され、かつ前記暖気プレナムと前記人が占有可能なワークスペースとの間に流れる前記暖気流を遮断するように調整された気流パーティションで、前記暖気流をそらすステップとを含む、方法。
【請求項１０】
前記第１のモジュールまたは前記第２のモジュールのうちの１つのモジュールのうち、前記構造柱に係止されている部分を取外すステップと、
前記第１のモジュールまたは前記第２のモジュールのうちの１つのモジュールのうち前記部分を前記構造柱に沿ってまたは別の柱へと移動させるステップとを含む、請求項９に記載の方法。
【請求項１１】
前記第２のモジュールは、水平な底パネルに連結された複数の垂直なサイドパネルを含み、前記方法はさらに、
前記複数の垂直なサイドパネルのうち少なくとも１つに隣接して垂直に搭載された冷却コイルを含む前記冷却モジュールを設置するステップを含む、請求項９または１０に記載の方法。
【請求項１２】
前記複数の垂直なサイドパネルのうち少なくとも１つを、冷却コイルを含む別の冷却モジュールと置換えるステップをさらに含む、請求項１１に記載の方法。
【請求項１３】
前記暖気流を前記暖気プレナムから直交的に前記冷却モジュール内に循環させるように、前記ファンを前記水平な底パネルに搭載するステップをさらに含む、請求項１１または１２に記載の方法。
【請求項１４】
下方モジュールまたは上方モジュールのうち少なくとも１つに水平に天井パネルを設置するステップをさらに含み、前記天井パネルは、前記人が占有可能なワークスペースと前記１つ以上のラックの上方における前記データセンタボリュームとの間にインターフェイスを規定している、請求項９に記載の方法。
【請求項１５】
データセンタを冷却する方法であって、
予め定められた量のコンピューティングパワーを含む第１のデータセンタモジュールをデータセンタのうち人が占有可能なワークスペースに設置するステップを含み、前記第１のデータセンタモジュールは、
複数の熱生成電子デバイスを支持する２列のラックから気流を受けるように位置決めされた暖気プレナムを含む第１の下方モジュールを含み、前記暖気プレナムは、１つ以上のラックの開放側に隣接する暖気入口と、前記１つ以上のラックの上方におけるデータセンタボリュームに隣接する暖気出口とを含み、前記第１のデータセンタモジュールはさらに、
前記１つ以上のラックの上方における前記データセンタボリュームに位置決めされるとともに少なくとも１つのファンおよび少なくとも１つの冷却コイルを含む第１の上方モジュールと、
前記第１の上方モジュールの前記暖気プレナムと前記人が占有可能なワークスペースとの間の暖気流を遮断するように、前記データセンタボリュームに搭載可能な第１の気流パーティションとを含み、前記方法は、
暖気流を、前記１つ以上のラックから、前記暖気プレナムを通じて前記データセンタボリューム内を循環させ、前記暖気流を冷却するための前記冷却コイル内を通らせて、前記１つ以上のラックに隣接する前記データセンタのうち人が占有可能なワークスペース内へと循環させるように前記ファンを動作させるステップを含む、方法。
【請求項１６】
前記第１のデータセンタモジュールのうち前記予め定められた量のコンピューティングパワーが所望量のコンピューティングパワー未満であると判断するステップと、
前記判断に基づいて、前記予め定められた量のコンピューティングパワーを含む第２のデータセンタモジュールを前記データセンタのうち前記人が占有可能なワークスペースに設置するステップとを含み、前記第２のデータセンタモジュールは、
複数の熱生成電子デバイスを支持する２列のラックから気流を受けるように位置決めされた暖気プレナムを含む第２の下方モジュールを含み、前記暖気プレナムは、前記１つ以上のラックの開放側に隣接する暖気入口と、前記１つ以上のラックの上方におけるデータセンタボリュームに隣接する暖気出口とを含み、前記第２のデータセンタモジュールはさらに、
前記１つ以上のラックの上方における前記データセンタボリュームに位置決めされるとともに少なくとも１つのファンおよび少なくとも１つの冷却コイルを含む第２の上方モジュールと、
前記第２の下方モジュールの前記暖気プレナムと前記人が占有可能なワークスペースとの間の暖気流を遮断するように、前記データセンタボリュームに搭載可能な第２の気流パーティションとを含む、請求項１５に記載の方法。
【請求項１７】
前記データセンタにおける前記複数の熱生成電子デバイスを動作させるステップと、
前記複数の熱生成電子デバイスのうち第１の部分が前記複数の熱生成電子デバイスのうち第２の部分よりも高いパワーまたは高い温度で動作していると判断するステップと、
前記判断に基づいて、より大量の冷却気流を前記複数の熱生成電子デバイスのうち前記第１の部分に方向付けるように、前記第１の気流パーティションまたは前記第２の気流パーティションのうち少なくとも１つを移動させるステップとをさらに含む、請求項１６に記載の方法。
【請求項１８】
データセンタ冷却システムであって、
複数の熱生成電子デバイスを支持する１列以上のラックから気流を受けるように位置決め可能な暖気プレナムを含む第１のモジュールを含み、前記暖気プレナムは、１つ以上のラックの開放側に隣接する暖気入口と、前記１つ以上のラックの上方においてデータセンタボリュームに隣接する暖気出口とを含み、前記データセンタ冷却システムはさらに、
前記１つ以上のラックの上方において前記データセンタボリュームに位置決め可能な第２のモジュールを含み、前記第２のモジュールは、少なくとも１つのファンおよび少なくとも１つの冷却モジュールを含み、前記ファンは、暖気流を、前記１つ以上のラックから、前記暖気プレナムを通じて、前記データセンタボリューム内を循環させ、前記暖気流を冷却するための前記冷却モジュール内を通らせて、前記１つ以上のラックに隣接するデータセンタのうち人が占有可能なワークスペース内を循環させるように位置決めされ、前記データセンタ冷却システムはさらに、
前記１つ以上のラックの上方において前記データセンタボリュームに搭載可能な気流パーティションを含み、前記気流パーティションは、前記暖気プレナムと前記人が占有可能なワークスペースとの間に流れる前記暖気流を遮断するように調整可能であり、前記データセンタ冷却システムはさらに、
下方モジュールまたは上方モジュールのうち少なくとも１つに水平に取付け可能な天井パネルを含み、前記天井パネルは、前記人が占有可能なワークスペースと前記１つ以上のラックの上方における前記データセンタボリュームとの間にインターフェイスを規定する、データセンタ冷却システム。
【請求項１９】
データセンタを冷却する方法であって、
データセンタのうち人が占有可能なワークスペースに第１のモジュールを設置するステップと、
前記データセンタのデータセンタボリュームに第２のモジュールを設置するステップと、
前記データセンタの構造柱に前記第１のモジュールまたは前記第２のモジュールのうち少なくとも１つを取付けるステップと、
下方モジュールまたは上方モジュールのうち少なくとも１つに水平に天井パネルを設置するステップをさらに含み、前記天井パネルは、前記人が占有可能なワークスペースと前記データセンタボリュームに位置決めされた複数のラックの上方における前記データセンタボリュームとの間にインターフェイスを規定しており、前記方法はさらに、
複数の熱生成電子デバイスを支持する１列以上の前記複数のラックから前記第１のモジュールの暖気プレナムに気流を循環させるステップと、
前記気流が前記複数のラック内を循環するのに伴って前記気流を暖めるステップと、
暖気流を、前記複数のラックの開放側に隣接する前記暖気プレナムの暖気入口を通じて、前記複数のラックの上方におけるデータセンタボリュームに隣接する暖気出口へと循環させるステップと、
前記暖気流を、前記複数のラックの上方における前記データセンタボリュームに位置決めされた第２のモジュールに位置決めされたファンを用いて、前記暖気流を冷却するための少なくとも１つの冷却モジュール内を通らせて、前記複数のラックに隣接する前記データセンタのうち前記人が占有可能なワークスペース内へと循環させるステップと、
前記複数のラックの上方における前記データセンタボリュームに搭載され、かつ前記暖気プレナムと前記人が占有可能なワークスペースとの間に流れる前記暖気流を遮断するように調整された気流パーティションで、前記暖気流をそらすステップとを含む、方法。